(57)【要約】【課題】本体を一見するだけで電池交換の方法や手順が解かり効率良い電池交換作業ができるものであり、窓などを強く押さえつけることがなく安全で、蓋と電池が本体から浮き上がり容易に離脱するものとする。さらに、安価で安定した高い防水性能を有する家庭用防犯アラームとする。【解決手段】電池交換の方法として広く周知されている、コインを用いて蓋を回動させ本体から離脱させ電池交換する“コイン式”を用い、該蓋が該電池収納凹部から離脱する際に本体から浮き上がり離れる方向へ誘導するスロープを本体に設け、該蓋が離脱した際に電池も本体から浮き上がり離脱し易くなる該電池収納凹部の底に電池のマイナス面を常時押圧するバネ性を有するマイナス端子を設置する。さらに、蓋はＯ−リングを介して電池収納凹部と液密に設置される家庭用防犯アラームとする。【選択図】図１
0003151184.tif 000002
【実用新案登録請求の範囲】
【請求項１】
不法侵入者検知器として住宅の窓や引戸に貼り付け用いる家庭用防犯アラームにおいて、本体にボタン電池を収納する電池収納凹部が設けられ、表面中央にコイン係合溝が形成された該電池収納凹部を液密に塞ぐ円形状の蓋が回動操作で着脱自在に該電池収納凹部上面に設置されかつ該蓋が該電池収納凹部から離脱する際に本体から離れる方向へ誘導するスロープが本体に設けられ、該電池収納凹部の底に電池のマイナス面を常時押圧するバネ性を有するマイナス端子が設置されたことを特徴とする家庭用防犯アラーム。
【請求項２】
蓋はＯ−リングを介して電池収納凹部と液密に設置されることを特徴とする請求項１に記載の家庭用防犯アラーム。
【考案の詳細な説明】
【技術分野】
【０００１】
本考案は、住宅の窓や引戸からの不法侵入を防止するために、窓や引戸に両面テープ等で貼付け用いる、窓や引戸を開けたり破壊する際の振動を検知して警報音を発し侵入を阻止する家庭用防犯アラームに関する。
【背景技術】
【０００２】
侵入者の検知方法として赤外線センサーや超音波センサーを利用したものがあるが、振動センサーを利用し電源に電池を用いるのが小型軽量安価で信頼性も高く広く普及している。窓ガラスなどの任意の場所に貼り付けても窓の開閉に支障がないものにする場合は、電池は薄肉のボタン電池（コイン電池も含む）を用い、本体厚みを約１１ｍｍ以下に形成する。
【０００３】
電池交換において、その方法や手順など作業内容が解かり難い問題があった。即ち、本体の一部が電池収納凹部の蓋になっている場合が殆どであるが、どの部分が蓋なのか？蓋をどの方向に動かし外すのか？等一見して確信できるものではなく、本体が窓などに貼り付け固定されているので手に取って確かめることもできず不安を覚えながらの作業となるなど好ましくない。
【０００４】
また、蓋の取り外しは、本体を貼り付けている窓などに対して押さえつける方向に力をかける必要があるので、薄いガラスなどの場合は気をつけて作業する必要がある。まして、取り外し手順が明確に把握できていなければ、ガラスに思わぬ力がかかり、最悪の場合はガラスが割れることになるので注意が必要である。ちなみに、本体が窓などに貼り付けられておらず手に取って作業できるならば蓋は比較的軽い力で外すこともできるが、窓などに貼り付けられているために蓋が扱い難く、蓋を外す力以外にも力がかかり、思った以上に窓を押さえつけてしまうことになる。
【０００５】
また、電池を取り外す際に、本体が窓などに貼り付けられているために本体を傾けることができず、電池が電池収納凹部に嵌め込まれたままで取り出せず、ドライバーなどで電池を引き出すなど用具を要する場合があった。
【０００６】
不法侵入される箇所は風呂場の窓が多く、湿気が高い風呂場にも充分に対応できる仕様とするには、高い防水性能を得るためにシールパッキンを本体に設置する必要があるが、蓋が異形形状なのでシールパッキンも異形となり、信頼とコストの点では最善の形態ではない。
【特許文献１】実用新案登録第３１３４６６６号公報
【考案の開示】
【考案が解決しようとする課題】
【０００７】
本体を一見するだけで電池交換の方法や手順が解かり効率良い電池交換作業ができるものであり、窓などを強く押さえつけることがなく安全で、蓋と電池が本体から浮き上がり容易に離脱するものとする。さらに、安価で安定した高い防水性能を有する家庭用防犯アラームとする。
【課題を解決するための手段】
【０００８】
本考案は、電池交換の方法として広く周知されている、コインを用いて蓋を回動させ本体から離脱させ電池交換する“コイン式”を用いる。即ち、本体にコイン係合溝を中央に有する円形の部材があれば“コイン式”の蓋であると認識される。また、“コイン式”は回動させて蓋を外すので窓などを強く押さえつけることはない。詳しくは、本体にボタン電池を収納する電池収納凹部が設け、表面中央にコイン係合溝が形成された該電池収納凹部を液密に塞ぐ円形状の蓋が回動操作で着脱自在に該電池収納凹部上面に設置する簡素な構造であり。また、該蓋が該電池収納凹部から離脱する際に本体から浮き上がり離れる方向へ誘導するスロープを本体に設け、該蓋が離脱した際に電池も本体から浮き上がり離脱し易くなる該電池収納凹部の底に電池のマイナス面を常時押圧するバネ性を有するマイナス端子を設置した家庭用防犯アラームとする。
【０００９】
さらに、蓋は信頼性が高く安価なＯ−リングを介して電池収納凹部と液密に設置される家庭用防犯アラームとする。
【考案の効果】
【００１０】
本考案の家庭用防犯アラームは、本体を一見するだけで電池交換の方法や手順が解かり、また蓋と電池が本体から浮き上がり容易に離脱するので、効率良い電池交換作業ができるとともに、窓を強く押さえることなく安心して作業できる。さらに、安価で安定した高い防水性能を有する家庭用防犯アラームを得ることができる。
【考案を実施するための最良の形態】
【００１１】
以下に本考案の実施例を図面に基づいて説明する。図１は本考案の実施例１の家庭用防犯アラームの正面図。以下同様に、図２は蓋を除いた正面図。図３は蓋とボタン電池を除いた斜視参考図。図４は蓋の背面を示す斜視参考図。図５は従来品の一例を示すもので、従来品の正面図。図６は従来品の蓋とボタン電池を外した正面図である。
【００１２】
図１から４において説明すれば、家庭用防犯アラームの本体１の表面に警報音を発するアラーム口２と、電源のオンオフを操作する操作スイッチ３と、コイン係合溝５を中央に有する円形の蓋４を有する。本体１はフタとソコから構成されるケース状にし合成樹脂で射出成形で形成するなどすれば良い。合成樹脂の素材としては多種多様な素材を用いることができるが、コスト的にはＡＢＳやＰＰなどの汎用樹脂、剛性など考慮すればＰＡやＰＯＭなどの高剛性樹脂を用いれば良く特にコインを係合し回動させる蓋４には好ましい。
【００１３】
蓋４の下部には電池収納凹部６を有し、電池収納凹部６に設けられた係合突起Ａ７と、蓋４に設けられた係合突起Ｂ１３が互いに対応し蓋４が回動することで本体１に着脱自在に設置される。さらに蓋４は電池収納凹部６の上面となる本体１側に設けられたＯ-リング１１を介して設置されるので本体１と蓋４は液密に係合設置されるので高い防水性能を得て湿気の高い風呂場にも支障ない。係合突起Ａ７は少なくともスロープ８を有し、蓋４が本体１から離脱する際は、係合突起Ｂ１３が該スロープ８を登ることで蓋４は本体１から押し出されて離脱するので扱い易い。また、蓋４が離脱した際は、電池固定リブ１０内に設置されたボタン電池９も板バネ状のマイナス端子１２に押し出されるので電池交換が容易で好ましい。
【００１４】
図５と図６に従来品の家庭用防犯アラームを示す。本体１から蓋４の脱着方法が解かり難く、蓋を外す以外にも力をかけてしまうことがある。
【００１５】
実施例１では、係合突起Ａ７は電池収納凹部６の内周に３箇所に設置されているが、例えば電池収納凹部６の内周に形成された一般的なネジでも良く、その場合は係合突起Ｂ１３も同様に一般的なネジで良い。また、Ｏ-リング１１も本体１側に設けられているが蓋４に設置するなども良く、電池固定リブ１０も必須ではなく、マイナス端子１２はスプリング形状でも良い等、本考案は実施例１に限定されるものではない。
【図面の簡単な説明】
【００１６】
【図１】本考案の家庭用防犯アラームの正面図。
【図２】蓋を除いた正面図。
【図３】蓋とボタン電池を除いた斜視参考図。
【図４】蓋の背面を示す斜視参考図。
【図５】従来品の正面図。
【図６】従来品の蓋とボタン電池を外した正面図。
【符号の説明】
【００１７】
１    本体
２    アラーム口
３    操作スイッチ
４    蓋
５    コイン係合溝
６    電池収納凹部
７    係合突起Ａ
８    スロープ
９    ボタン電池
１０    電池固定リブ
１１    Ｏ−リング
１２    マイナス端子
１３    係合突起Ｂ
１４    係合手段
【図１】
0003151184.tif 000003
【図２】
0003151184.tif 000004
【図３】
0003151184.tif 000005
【図４】
0003151184.tif 000006
【図５】
0003151184.tif 000007
【図６】
0003151184.tif 000008